(57)【要約】      （修正有）【課題】長さの異なる棚杆を容易に得ることができ、製作コストを低減することができると共に運搬時や収納時等の不使用時の取り扱いの便利な棚杆の提供。【解決手段】対向一対の筒状の棚杆１・１を延長継合するための構造であって、各棚杆の突合端部間に介装される継合部材２を設け、該継合部材の両側部に対向する棚杆内に嵌脱可能な嵌脱部３・３をそれぞれ設け、該各嵌脱部に弾性係脱部４を設け、該各棚杆に該弾性係脱部に係脱可能な係脱穴部５を設けてなる。【選択図】        図１
2004329142.tif 000002
【特許請求の範囲】
【請求項１】
対向一対の筒状の棚杆を延長継合するための構造であって、上記各棚杆の突合端部間に介装される継合部材を設け、該継合部材の両側部に対向する棚杆内に嵌脱可能な嵌脱部をそれぞれ設け、該各嵌脱部に弾性係脱部を設け、該各棚杆に該弾性係脱部に係脱可能な係脱穴部を設けてなることを特徴とする棚杆継合構造。
【請求項２】
上記弾性係脱部は弾性板片及び該弾性板片の先端部に形成された係脱凸部からなることを特徴とする請求項１記載の棚杆継合構造。
【請求項３】
上記棚杆の外方端部に端部部材を設け、該端部部材の内側部に棚杆の外方端部内に嵌脱可能な嵌脱端部を設け、該嵌脱端部に弾性係脱部を設け、該棚杆に該弾性係脱部に係脱可能な係脱穴部を設けてなることを特徴とする請求項１又は２記載の棚杆継合構造。
【請求項４】
上記継合部材の両側部に上記嵌脱部を複数個並列状に設けてなることを特徴とする請求項１〜３のいずれか１項に記載の棚杆継合構造。
【請求項５】
上記端部部材の内側部に上記嵌脱端部を複数個並列状に設けてなることを特徴とする請求項１〜４のいずれか１項に記載の棚杆継合構造。
【請求項６】
請求項１〜５のいずれか１項に記載の棚杆継合構造を備えてなることを特徴とする棚板。
【発明の詳細な説明】
【０００１】
【発明の属する技術分野】
本発明は例えば植木鉢台等の園芸用品、小物置き台等の収納用品として用いら棚板に用いられる棚杆継合構造及びそれを用いた棚板に関するものである。
【０００２】
【従来の技術】
【０００３】
【特許文献１】
特開平０８−１５４４９４号公報
【０００４】
従来、この種の棚板として、アルミニュウム等の金属製又は合成樹脂製の四角筒状の所定の長さの棚杆を所定の奥行に対応した数の複数個並列状に配置すると共にこの並列状の棚杆を連結杆により所定幅で所定奥行の載置面積をもつ広さの平面状に連結してなる構造のものが知られている。しかして、この棚板を対向配置したコンクリートブロックの上に架設し、この棚板を植木鉢台として用いるようにしている。
【０００５】
【発明が解決しようとする課題】
しかしながら上記従来構造の場合、上記棚板の載置面積の大小種類の幅サイズに対応するためには長さの異なる棚杆を用意する必要があり、それだけ製作コストが高くなると共に運搬時や収納時等の不使用時には保管スペースが必要となり、使用の融通性に欠けることがあるという不都合を有している。
【０００６】
【課題を解決するための手段】
本発明はこのような不都合を解決することを目的とするもので、本発明のうちで、請求項１記載の発明は、対向一対の筒状の棚杆を延長継合するための構造であって、上記各棚杆の突合端部間に介装される継合部材を設け、該継合部材の両側部に対向する棚杆内に嵌脱可能な嵌脱部をそれぞれ設け、該各嵌脱部に弾性係脱部を設け、該各棚杆に該弾性係脱部に係脱可能な係脱穴部を設けてなることを特徴とする棚杆継合構造にある。
【０００７】
又、請求項２記載の発明は、上記弾性係脱部は弾性板片及び該弾性板片の先端部に形成された係脱凸部からなることを特徴とするものであり、又、請求項３記載の発明は、上記棚杆の外方端部に端部部材を設け、該端部部材の内側部に棚杆の外方端部内に嵌脱可能な嵌脱端部を設け、該嵌脱端部に弾性係脱部を設け、該棚杆に該弾性係脱部に係脱可能な係脱穴部を設けてなることを特徴とするものであり、又、請求項４記載の発明は、上記継合部材の両側部に上記嵌脱部を複数個並列状に設けてなることを特徴とするものであり、又、請求項５記載の発明は、上記端部部材の内側部に上記嵌脱端部を複数個並列状に設けてなることを特徴とするものである。
【０００８】
又、請求項６記載の発明は、請求項１〜５のいずれか１項に記載の棚杆継合構造を備えてなることを特徴とする棚板にある。
【０００９】
【発明の実施の形態】
図１乃至図８は本発明の実施の形態例を示し、図１乃至図７は第一形態例、図８は第二形態例である。
【００１０】
図１乃至図７の第一形態例において、１・１は棚杆であって、この場合、アルミニウム製の四角筒状に形成されている。
【００１１】
２は継合部材であって、上記各棚杆１・１の突合端部間に介装され、この場合、継合部材２の両側部に対向する棚杆１・１内に嵌脱可能な嵌脱部３・３をそれぞれ並列状に複数個、この場合、５個ずつ計１０個設け、各嵌脱部３・３に弾性係脱部４・４を設け、各棚杆１・１に弾性係脱部４・４に係脱可能な四角穴状の係脱穴部５を設けて構成している。
【００１２】
この場合、上記弾性係脱部４はＵ溝部４ｃにより形成された片持弾性梁状の弾性板片４ａ及び弾性板片４ａの先端部に形成された係脱凸部４ｂからなる。
【００１３】
６は端部部材であって、上記棚杆１・１の外方端部に設けられ、この場合、端部部材６の内側部に棚杆１の外方端部内に嵌脱可能な複数個、この場合５個の嵌脱端部７を並列状に設け、各嵌脱端部７に弾性係脱部８を設け、棚杆１に弾性係脱部８に係脱可能な四角穴状の係脱穴部９を設けている。この弾性係脱部８はＵ溝部８ｃにより形成された弾性板片８ａ及び弾性板片８ａの先端部に形成された係脱凸部８ｂからなる。
【００１４】
この実施の第一形態例は上記構成であるから、図１、図２、図５の如く、筒状の棚杆１・１を継合部材２の両側部に並列状に複数個設けられた嵌脱部３・３にそれぞれ嵌入し、各嵌脱部３・３に設けられた弾性係脱部４・４が各棚杆１・１に設けられた係脱穴部５に係止し、これにより対向一対の筒状の棚杆１・１を延長継合することができ、もちろん、他の継合部材２を用いることにより更に棚杆１を延長することができ、長さの異なる棚杆を容易に得ることができ、長さの異なる棚杆を別々に用意する必要がなくなり、それだけ製作コストを低減することができると共に運搬時や収納時等の不使用時には弾性係脱部４・４を内方に押圧して係脱穴部５から離脱させた状態で継合部材２から棚杆１を抜き外すことにより複数個の棚杆１及び継合部材２に分離され、保管スペースを小さくすることができ、使用の融通性を高めることができる。
【００１５】
又、この場合、図２の如く、上記弾性係脱部４は弾性板片４ａ及び弾性板片４ａの先端部に形成された係脱凸部４ｂからなるので、棚杆１と継合部材２との着脱を容易に行うことができ、又、この場合、図３、図４の如く、上記棚杆１の外方端部に端部部材６を設け、端部部材６の内側部に棚杆１の外方端部内に嵌脱可能な嵌脱端部７を設け、嵌脱端部７に弾性係脱部８を設け、棚杆１に弾性係脱部７に係脱可能な係脱穴部９を設けているから、筒状の棚杆１の端部を閉塞することができると共に端部の安全性を高めることができる。
【００１６】
又、この場合、図５の如く、上記継合部材２の両側部に上記嵌脱部３を複数個並列状に設けているから、図６の如く、載置面積の異なる大小種類の棚板を容易に得ることができると共に並列状の棚杆１を確実に保持することができ、例えば、図７の如く、対向するコンクリートブロックＢ・Ｂ間に載置することにより花木Ｗ等の植木鉢台として使用することができ、又、この場合、上記端部部材６の内側部に上記嵌脱端部７を複数個並列状に設けてなるから、並列状の複数個の棚杆１の端部を同時に閉塞することができると共に並列状の棚杆１を確実に保持することができる。
【００１７】
図８の第二形態例は別例構造であって、この場合、上記係脱穴部５及び係脱穴部９を棚杆１の上面及び底面の両面に形成し、継合部材２の嵌脱部３・３の上面及び底面の両面に弾性係脱部４・４を設け、かつ、端部部材６の嵌脱端部７の上面及び底面の両面に弾性係脱部８を設けて構成している。
【００１８】
この第二形態例にあっても、上記第一形態例と同様な作用効果を得ることができる。
【００１９】
尚、本発明は上記実施の形態例に限られるものではなく、棚杆１の大きさや形態、継合部材２、弾性係脱部４、８の形状等は適宜変更して設計されるものである。
【００２０】
【発明の効果】
本発明は上述の如く、請求項１記載の発明にあっては、筒状の棚杆を継合部材の両側部に並列状に複数個設けられた嵌脱部にそれぞれ嵌入し、各嵌脱部に設けられた弾性係脱部が各棚杆に設けられた係脱穴部に係止し、これにより対向一対の筒状の棚杆を延長継合することができ、他の継合部材を用いることにより更に棚杆を延長することができ、長さの異なる棚杆を容易に得ることができ、長さの異なる棚杆を別々に用意する必要がなくなり、それだけ製作コストを低減することができると共に運搬時や収納時等の不使用時には弾性係脱部を係脱穴部から離脱させた状態で継合部材から棚杆を抜き外すことにより複数個の棚杆及び継合部材に分離され、保管スペースを小さくすることができ、使用の融通性を高めることができる。
【００２１】
又、請求項２記載の発明にあっては、上記弾性係脱部は弾性板片及び弾性板片の先端部に形成された係脱凸部からなるので、棚杆と継合部材との着脱を容易に行うことができ、又、請求項３記載の発明にあっては、上記棚杆の外方端部に端部部材を設け、端部部材の内側部に棚杆の外方端部内に嵌脱可能な嵌脱端部を設け、嵌脱端部に弾性係脱部を設け、棚杆に弾性係脱部に係脱可能な係脱穴部を設けているから、筒状の棚杆の端部を閉塞することができると共に端部の安全性を高めることができる。
【００２２】
又、請求項４記載の発明にあっては、上記継合部材の両側部に上記嵌脱部を複数個並列状に設けているから、載置面積の異なる大小種類の棚板を容易に得ることができると共に並列状の棚杆を確実に保持することができ、又、請求項５記載の発明にあっては、上記端部部材の内側部に上記嵌脱端部を複数個並列状に設けてなるから、並列状の複数個の棚杆の端部を同時に閉塞することができると共に並列状の棚杆を確実に保持することができる。
【００２３】
又、請求項６記載の発明にあっては、上記棚杆継合構造を備えてなる棚板を得ることにより載置面積の異なる大小種類の棚板を容易に得ることができると共に運搬時や収納時等の不使用時には継合部材から棚杆を抜き外すことにより複数個の棚杆及び継合部材に分離され、それだけ、保管スペースを小さくすることができ、使用の融通性を高めることができる。
【００２４】
以上の如く、所期の目的を充分達成することができる。
【図面の簡単な説明】
【図１】本発明の実施の第一形態例の部分分離底面斜視図である。
【図２】本発明の実施の第一形態例の部分断面図である。
【図３】本発明の実施の第一形態例の部分分離底面斜視図である。
【図４】本発明の実施の第一形態例の部分断面図である。
【図５】本発明の実施の第一形態例の部分平断面図である。
【図６】本発明の実施の第一形態例の全体底面斜視図である。
【図７】本発明の実施の第一形態例の使用状態の斜視図である。
【図８】本発明の実施の第二形態例の部分断面図である。
【符号の説明】
１  棚杆
２  継合部材
３  嵌脱部
４  弾性係脱部
４ａ  弾性板片
４ｂ  係止凸部
５  係脱穴部
６  端部部材
７  嵌脱端部
８  弾性係脱部
８ａ  弾性板片
８ｂ  係止凸部
９  係脱穴部
【図１】
2004329142.tif 000003
【図２】
2004329142.tif 000004
【図３】
2004329142.tif 000005
【図４】
2004329142.tif 000006
【図５】
2004329142.tif 000007
【図６】
2004329142.tif 000008
【図７】
2004329142.tif 000009
【図８】
2004329142.tif 000010